(57)【要約】【課題】電気的な故障を引き起こしにくい洗濯機を提供する。【解決手段】本出願は、衣類を洗浄するための洗濯機を開示する。洗濯機は、前縁と、前記前縁とは反対側の後縁と、を有する天壁を含む筐体と、前記天壁を部分的に覆うカバー部材と、前記洗濯機の動作内容に関する動作要求を受け付ける受付部と、前記筐体内へ水を供給するための給水口と、を備える。前記カバー部材には、前記給水口を露出させる開口部が形成される。前記受付部は、前記カバー部材に取り付けられる。【選択図】図１Ａ
2015192774.tif 000002
【特許請求の範囲】
【請求項１】
衣類を洗浄するための洗濯機であって、
前縁と、前記前縁とは反対側の後縁と、を有する天壁を含む筐体と、
前記天壁を部分的に覆うカバー部材と、
前記洗濯機の動作内容に関する動作要求を受け付ける受付部と、
前記筐体内へ水を供給するための給水口と、を備え、
前記カバー部材には、前記給水口を露出させる開口部が形成され、
前記受付部は、前記カバー部材に取り付けられることを特徴とする洗濯機。
【請求項２】
前記受付部は、前記動作内容が入力される入力部と、前記動作内容を電気信号に変える回路基板と、前記回路基板を保持する保持部と、を含み、
前記保持部は、前記天壁と協働して、前記回路基板が収容される収容空間を形成することを特徴とする請求項１に記載の洗濯機。
【請求項３】
前記受付部は、前記前縁よりも前記後縁の近くに配置され、
前記給水口は、前記受付部と前記後縁との間に配置され、
前記カバー部材は、前記開口部が形成された第１領域と、前記第１領域と協働して稜線を形成する第２領域と、を含み、
前記保持部は、前記第２領域に取り付けられ、
前記第１領域は、前記後縁に向けて下方に傾斜することを特徴とする請求項２に記載の洗濯機。
【請求項４】
前記筐体内で上方に開口し、前記衣類を洗浄するための洗浄動作を行う洗濯槽と、
前記カバー部材と前記前縁との間で前記天壁を覆う閉位置と、前記天壁を露出させる開位置と、の間で上下に回動する蓋体と、
前記蓋体を回動可能に支持するヒンジ構造と、を更に備え、
前記天壁には、前記衣類を前記洗濯槽に投入するための投入口が形成され、
前記第１領域は、前記前縁に向けて下方に傾斜し、且つ、前記洗濯槽に部分的に重なることを特徴とする請求項３に記載の洗濯機。
【請求項５】
前記ヒンジ構造は、前記カバー部材の左側で前記天壁から突出する左リブと、前記カバー部材の右側で前記天壁から突出する右リブと、を含み、
前記蓋体は、前記左リブと前記カバー部材との間に配置される左アーム板と、前記右リブと前記カバー部材との間に配置される右アーム板と、前記左アーム板と前記右アーム板とに接続される主板と、を含み、
前記蓋体が前記閉位置にあるとき、前記主板は、前記投入口を閉じ、
前記蓋体が前記開位置にあるとき、前記入力部は、前記右アーム板、前記左アーム板及び前記主板に囲まれた空間内で露出することを特徴とする請求項４に記載の洗濯機。
【請求項６】
前記ヒンジ構造は、前記カバー部材から前記左リブに向けて突出する左シャフトと、前記カバー部材から前記右リブに向けて突出する右シャフトと、を含み、
前記左アーム板は、前記カバー部材に対向し、且つ、前記左シャフトが挿入される左スリットが形成された左スリット面を含み、
前記右アーム板は、前記カバー部材に対向し、且つ、前記右シャフトが挿入される右スリットが形成された右スリット面を含み、
前記左スリット及び前記右スリットそれぞれは、開口した端部を有することを特徴とする請求項５に記載の洗濯機。
【請求項７】
衣類を洗浄するための洗濯機であって、
前縁と、前記前縁とは反対側の後縁と、を有し、且つ、前記衣類を投入するための投入口が形成された天壁を含む筐体と、
前記洗濯機の動作内容に関する動作要求を受け付ける受付部と、
前記筐体内へ水を供給するための給水口と、
前記投入口を閉じる閉位置と、前記投入口を開放する開位置と、の間で上下に回動する蓋体と、
前記蓋体を回動可能に支持するヒンジ構造と、を備え、
前記天壁は、前記投入口と前記後縁との間で隆起した凸形状部を含み、
前記受付部は、前記凸形状部に装着され、
前記ヒンジ構造は、前記凸形状部の左側で前記天壁から突出する左リブと、前記凸形状部の右側で前記天壁から突出する右リブと、前記凸形状部から前記左リブに向けて突出する左シャフトと、前記凸形状部から前記右リブに向けて突出する右シャフトと、を含み、
前記蓋体は、前記左リブと前記凸形状部との間に配置される左アーム板と、前記右リブと前記凸形状部との間に配置される右アーム板と、を含み、
前記左アーム板は、前記凸形状部に対向し、且つ、前記左シャフトが挿入される左スリットが形成された左スリット面を含み、
前記右アーム板は、前記凸形状部に対向し、且つ、前記右シャフトが挿入される右スリットが形成された右スリット面を含み、
前記左スリット及び前記右スリットそれぞれは、開口した端部を有することを特徴とする洗濯機。
【発明の詳細な説明】
【技術分野】
【０００１】
本発明は、衣類を洗濯する洗濯機に関する。
【背景技術】
【０００２】
従来の洗濯機は、上方に開口した洗濯槽と、洗濯槽を収容する筐体と、洗濯機の動作内容に関する動作要求を受け付ける操作パネルと、を備える。筐体は、使用者に対向する前壁と、洗濯槽への衣類の投入を許容する投入口が形成された天壁を含む。天壁は、前壁と角隅部を形成する前縁と、前縁とは反対側の後縁と、を含む。操作パネルは、前壁に取り付けられることもある。
【０００３】
操作パネルが前壁に取り付けられるならば、洗濯機を設計する設計者は、操作パネルの取付のために、前縁と投入口との間の距離を長くする必要がある。投入口は、前壁から離れるので、使用者は、衣類を洗濯槽へ投入するとき、及び／又は、衣類を洗濯槽から取り出すとき、不便に感じることもある。加えて、濡れた衣類が操作パネルが配置された領域を跨いで移動するので、衣類から滴下した水が、電気的な故障を引き起こすこともある。
【０００４】
特許文献１は、操作パネルを後縁の近くに配置することを提案する。操作パネルが後縁の近くに配置されるならば、設計者は、洗濯槽を、前壁の近くに配置することができる。したがって、使用者は、衣類を洗濯槽へ容易に投入することができ、且つ、衣類を洗濯槽から容易に取り出すことができる。
【先行技術文献】
【特許文献】
【０００５】
【特許文献１】特表２００５−５１９７１２号公報
【発明の概要】
【発明が解決しようとする課題】
【０００６】
一般的に、洗濯槽へ水を供給するための給水口は、後縁の近くに取り付けられる。操作パネルが、後縁の近くに配置されるならば、給水口での漏水は、操作パネルの電気的な故障を引き起こしやすい。
【０００７】
本発明は、電気的な故障を引き起こしにくい洗濯機を提供することを目的とする。
【課題を解決するための手段】
【０００８】
本発明の一局面に係る洗濯機は、衣類を洗浄する。洗濯機は、前縁と、前記前縁とは反対側の後縁と、を有する天壁を含む筐体と、前記天壁を部分的に覆うカバー部材と、前記洗濯機の動作内容に関する動作要求を受け付ける受付部と、前記筐体内へ水を供給するための給水口と、を備える。前記カバー部材には、前記給水口を露出させる開口部が形成される。前記受付部は、前記カバー部材に取り付けられる。
【０００９】
上記構成によれば、天壁を部分的に覆うカバー部材には、給水口を露出させる開口部が形成されるので、給水口から漏れ出た水は、カバー部材及び／又は天壁に付着する。受付部は、カバー部材に取り付けられるので、カバー部材及び／又は天壁に付着した水は、受付部に電気的な故障は生じにくい。
【００１０】
上記構成において、前記受付部は、前記動作内容が入力される入力部と、前記動作内容を電気信号に変える回路基板と、前記回路基板を保持する保持部と、を含んでもよい。前記保持部は、前記天壁と協働して、前記回路基板が収容される収容空間を形成してもよい。
【００１１】
上記構成によれば、動作内容を電気信号に変える回路基板は、保持部と天壁とによって形成される収容空間内に配置されるので、回路基板は、保持部と天壁とによって水から保護される。
【００１２】
上記構成において、前記受付部は、前記前縁よりも前記後縁の近くに配置されてもよい。前記給水口は、前記受付部と前記後縁との間に配置されてもよい。前記カバー部材は、前記開口部が形成された第１領域と、前記第１領域と協働して稜線を形成する第２領域と、を含んでもよい。前記保持部は、前記第２領域に取り付けられてもよい。前記第１領域は、前記後縁に向けて下方に傾斜してもよい。
【００１３】
上記構成によれば、第２領域は、第１領域と協働して稜線を形成し、且つ、第１領域は、後縁に向けて下方に傾斜するので、水は、保持部が取り付けられた第２領域に付着しにくい。
【００１４】
上記構成において、洗濯機は、前記筐体内で上方に開口し、前記衣類を洗浄するための洗浄動作を行う洗濯槽と、前記カバー部材と前記前縁との間で前記天壁を覆う閉位置と、前記天壁を露出させる開位置と、の間で上下に回動する蓋体と、前記蓋体を回動可能に支持するヒンジ構造と、を更に備えてもよい。前記天壁には、前記衣類を前記洗濯槽に投入するための投入口が形成されてもよい。前記第１領域は、前記前縁に向けて下方に傾斜し、且つ、前記洗濯槽に部分的に重なってもよい。
【００１５】
上記構成によれば、第１領域は、前縁に向けて下方に傾斜し、且つ、洗濯槽に部分的に重なるので、第１領域に付着した水は、洗濯槽に直接的に流下することができる。
【００１６】
上記構成において、前記ヒンジ構造は、前記カバー部材の左側で前記天壁から突出する左リブと、前記カバー部材の右側で前記天壁から突出する右リブと、を含んでもよい。前記蓋体は、前記左リブと前記カバー部材との間に配置される左アーム板と、前記右リブと前記カバー部材との間に配置される右アーム板と、前記左アーム板と前記右アーム板とに接続される主板と、を含んでもよい。前記蓋体が前記閉位置にあるとき、前記主板は、前記投入口を閉じてもよい。前記蓋体が前記開位置にあるとき、前記入力部は、前記右アーム板、前記左アーム板及び前記主板に囲まれた空間内で露出してもよい。
【００１７】
上記構成によれば、蓋体が開位置にあるとき、入力部は、右アーム板、左アーム板及び主板に囲まれた空間内で露出するので、使用者は、蓋体の位置とは無関係に、動作要求を入力することができる。
【００１８】
上記構成において、前記ヒンジ構造は、前記カバー部材から前記左リブに向けて突出する左シャフトと、前記カバー部材から前記右リブに向けて突出する右シャフトと、を含んでもよい。前記左アーム板は、前記カバー部材に対向し、且つ、前記左シャフトが挿入される左スリットが形成された左スリット面を含んでもよい。前記右アーム板は、前記カバー部材に対向し、且つ、前記右シャフトが挿入される右スリットが形成された右スリット面を含んでもよい。前記左スリット及び前記右スリットそれぞれは、開口した端部を有してもよい。
【００１９】
上記構成によれば、左スリット及び右スリットそれぞれは、開口した端部を有しているので、洗濯機を製造する製造者は、蓋体を筐体に容易に取り付けることができる。
【００２０】
本発明の他の局面に係る洗濯機は、衣類を洗浄する。洗濯機は、前縁と、前記前縁とは反対側の後縁と、を有し、且つ、前記衣類を投入するための投入口が形成された天壁を含む筐体と、前記洗濯機の動作内容に関する動作要求を受け付ける受付部と、前記筐体内へ水を供給するための給水口と、前記投入口を閉じる閉位置と、前記投入口を開放する開位置と、の間で上下に回動する蓋体と、前記蓋体を回動可能に支持するヒンジ構造と、を備える。前記天壁は、前記投入口と前記後縁との間で隆起した凸形状部を含む。前記受付部は、前記凸形状部に装着される。前記ヒンジ構造は、前記凸形状部の左側で前記天壁から突出する左リブと、前記凸形状部の右側で前記天壁から突出する右リブと、前記凸形状部から前記左リブに向けて突出する左シャフトと、前記凸形状部から前記右リブに向けて突出する右シャフトと、を含む。前記蓋体は、前記左リブと前記凸形状部との間に配置される左アーム板と、前記右リブと前記凸形状部との間に配置される右アーム板と、を含む。前記左アーム板は、前記凸形状部に対向し、且つ、前記左シャフトが挿入される左スリットが形成された左スリット面を含む。前記右アーム板は、前記凸形状部に対向し、且つ、前記右シャフトが挿入される右スリットが形成された右スリット面を含む。前記左スリット及び前記右スリットそれぞれは、開口した端部を有する。
【００２１】
上記構成によれば、左スリット及び右スリットそれぞれは、開口した端部を有しているので、洗濯機を製造する製造者は、蓋体を筐体に容易に取り付けることができる。
【発明の効果】
【００２２】
本発明に係る洗濯機は、電気的な故障を引き起こしにくい。
【図面の簡単な説明】
【００２３】
【図１Ａ】第１実施形態の洗濯機の概略的な斜視図である。
【図１Ｂ】第１実施形態の洗濯機の概略的な斜視図である。
【図２】図１Ａ及び図１Ｂに示される洗濯機の概略的な断面図である。
【図３】図２に示される洗濯機の拡大断面図である。
【図４】第２実施形態の洗濯機の概略的な斜視図である。
【図５】図４に示される洗濯機の上筐体の概略的な正面図である。
【図６】図５に示される上筐体の概略的な斜視図である。
【図７】図５に示される上筐体に取り付けられる蓋体の概略的な斜視図である。
【発明を実施するための形態】
【００２４】
添付の図面を参照して、洗濯機に関する様々な実施形態が以下に説明される。洗濯機は、以下の説明によって、明確に理解可能である。「上」、「下」、「左」や「右」といった方向を表す用語は、単に、説明の明瞭化を目的とする。したがって、これらの用語は、限定的に解釈されるべきものではない。洗濯機は、衣類を洗浄する洗濯機能だけでなく、乾燥機能を有してもよい。洗濯機能に付随した様々な機能は、後述の実施形態の原理を何ら限定しない。
【００２５】
＜第１実施形態＞
図１Ａ及び図１Ｂは、第１実施形態の洗濯機１００の概略的な斜視図である。図１Ａ及び図１Ｂを参照して、洗濯機１００が説明される。
【００２６】
洗濯機１００は、筐体２００と、洗濯槽３００と、カバー部材４００と、操作部５００と、蓋体６００と、ヒンジ構造７００と、給水口８００と、を備える。筐体２００は、前壁２１０と、後壁２２０と、左壁２３０と、右壁２４０と、天壁２５０と、を含む。前壁２１０は、洗濯機１００を使用する使用者に対向する。後壁２２０は、前壁２１０の反対側で立設される。左壁２３０は、前壁２１０と後壁２２０との間で立設される。右壁２４０は、左壁２３０の反対側で立設される。天壁２５０は、前壁２１０、後壁２２０、左壁２３０及び右壁２４０の上縁によって囲まれる。
【００２７】
天壁２５０は、前縁２５１と、後縁２５２と、左縁２５３と、右縁２５４と、を含む。前縁２５１は、天壁２５０と前壁２１０との間で形成される角隅線であってもよい。後縁２５２は、天壁２５０と後壁２２０との間で形成される角隅線であってもよい。左縁２５３は、天壁２５０と左壁２３０との間で形成される角隅線であってもよい。右縁２５４は、天壁２５０と右壁２４０との間で形成される角隅線であってもよい。
【００２８】
洗濯槽３００は、筐体２００内に収容される。洗濯槽３００は、筐体２００内で上向きに開口する。洗濯槽３００は、衣類を洗浄するための洗浄動作を行う。洗浄動作は、既知の洗濯機の洗濯槽が行う動作であってもよい。本実施形態の原理は、特定の洗浄動作に限定されない。
【００２９】
天壁２５０には、投入口２５５が形成される。使用者は、衣類を、投入口２５５を通じて、洗濯槽３００へ投入することができる。
【００３０】
蓋体６００は、天壁２５０上で、上下に回動する。ヒンジ構造７００は、蓋体６００を回動可能に支持する。図１Ａに示される蓋体６００は、天壁２５０を露出させる開位置にある。図１Ｂに示される蓋体６００は、カバー部材４００と前縁２５１との間で天壁２５０を覆う閉位置にある。
【００３１】
カバー部材４００は、投入口２５５と後縁２５２との間で、天壁２５０を部分的に覆う。カバー部材４００は、後領域４１０と、前領域４２０と、左領域４３０と、右領域４４０と、を含む。
【００３２】
給水口８００は、後領域４１０に形成された開口部から露出する。使用者は、蛇口に取り付けられたホースを給水口８００へ接続することができる。給水口８００に供給された水は、筐体２００内の洗濯槽３００へ流入する。洗濯槽３００は、洗濯槽３００へ流入した水を用いて、衣類を洗浄する。
【００３３】
前領域４２０は、後領域４１０と協働して、稜線４０１を形成する。後領域４１０は、稜線４０１と後縁２５２との間で広がる。後領域４１０は、稜線４０１から後縁２５２に向けて下方に約３０°傾斜する。前領域４２０は、稜線４０１から前縁２５１に向けて下方に傾斜する。前領域４２０は、前縁２５１よりも後縁２５２の近くに形成される。本実施形態において、第１領域は、後領域４１０によって例示される。第２領域は、前領域４２０によって例示される。
【００３４】
操作部５００は、複数のボタン５１０と、ディスプレイ５２０と、を含む。複数のボタン５１０及びディスプレイ５２０は、前領域４２０に取り付けられ、前領域４２０内で露出する。
【００３５】
操作部５００は、洗濯機１００の動作内容に関する動作要求を受け付ける。使用者は、複数のボタン５１０を操作し、様々な動作要求を洗濯機１００に与えることができる。ディスプレイ５２０は、使用者が与えた入力内容を表示してもよい。例えば、使用者は、複数のボタン５１０を操作し、洗濯動作の開始を洗濯機１００に指示することができる。使用者が洗濯機１００に与えることができる動作要求は、既知の洗濯機に与えることができる動作要求と同様であってもよい。本実施形態の原理は、特定の動作要求に限定されない。本実施形態において、受付部は、操作部５００によって例示される。入力部は、複数のボタン５１０によって例示される。
【００３６】
ヒンジ構造７００は、左リブ７１０と、右リブ７２０と、を含む。左リブ７１０は、カバー部材４００の左側で天壁２５０から突出する。右リブ７２０は、カバー部材４００の右側で天壁２５０から突出する。
【００３７】
蓋体６００は、左アーム板６１０と、右アーム板６２０と、主板６３０と、を含む。左アーム板６１０は、左リブ７１０とカバー部材４００との間に配置される。右アーム板６２０は、右リブ７２０とカバー部材４００との間に配置される。主板６３０は、前板６３１と後板６３２とを含む。後板６３２は、左アーム板６１０と右アーム板６２０とに接続される。前板６３１は、後板６３２に対して回動可能に接続される。
【００３８】
蓋体６００が、閉位置にあるとき、主板６３０は、投入口２５５を閉じる。蓋体６００が、開位置にあるとき、複数のボタン５１０は、左アーム板６１０、右アーム板６２０及び後板６３２によって囲まれた空間内で露出する。
【００３９】
図２は、洗濯機１００の概略的な断面図である。図２を参照して、洗濯機１００が更に説明される。
【００４０】
洗濯槽３００は、外槽３１０と、内槽３２０と、モータ（図示せず）と、を含む。モータは、外槽３１０内に配置された内槽３２０を回転させる。カバー部材４００の前領域４２０は、洗濯槽３００に部分的に重なる。
【００４１】
図３は、カバー部材４００の周りの洗濯機１００の拡大断面図である。図３を参照して、洗濯機１００が更に説明される。
【００４２】
操作部５００が取り付けられた前領域４２０は、給水口８００が露出する後領域４１０よりも、天壁２５０から離間している。したがって、給水口８００から漏れ出た水は、操作部５００に接触しにくい。
【００４３】
操作部５００は、回路基板５３０と、保持カバー５４０と、を含む。使用者が、複数のボタン５１０を操作し、入力した動作要求は、回路基板５３０によって電気信号に変換される。保持カバー５４０は、回路基板５３０を保持する。保持カバー５４０は、カバー部材４００と天壁２５０との間で、前領域４２０に取り付けられる。保持カバー５４０は、前領域４２０と協働して、閉空間５４１を形成する。回路基板５３０は、閉空間５４１の中で固定される。本実施形態において、保持部は、保持カバー５４０によって例示される。収容空間は、閉空間５４１によって例示される。
【００４４】
＜第２実施形態＞
図４は、第２実施形態の洗濯機１００Ａの概略的な斜視図である。図４を参照して、洗濯機１００Ａが説明される。第１実施形態と第２実施形態との間で共通して用いられる符号は、当該共通の符号が付された要素が、第１実施形態と同一の機能を有することを意味する。したがって、第１実施形態の説明は、これらの要素に援用される。
【００４５】
洗濯機１００Ａは、操作部５００を備える。使用者は、操作部５００を操作し、様々な動作要求を洗濯機１００Ａに入力することができる。
【００４６】
洗濯機１００Ａは、筐体２００Ａを備える。筐体２００Ａは、上筐体２０１と、下筐体２０２と、を含む。上筐体２０１は、下筐体２０２上に配置される。上筐体２０１は、天壁２６０を含む。操作部５００は、天壁２６０に形成された投入口２６５の後方に形成された凸形状部２７０に装着されている。
【００４７】
図５は、上筐体２０１の概略的な正面図である。図６は、上筐体２０１の概略的な斜視図である。図４及び図５を参照して、洗濯機１００Ａが更に説明される。
【００４８】
洗濯機１００Ａは、蓋体６００Ａと、ヒンジ構造７００Ａと、を備える。ヒンジ構造７００Ａは、天壁２５０上に形成される。
【００４９】
第１実施形態と同様に、蓋体６００Ａは、主板６３０を含む。蓋体６００Ａは、左アーム板６１０Ａと、右アーム板６２０Ａと、を更に含む。左アーム板６１０Ａ及び右アーム板６２０Ａは、主板６３０の後板６３２からヒンジ構造７００Ａへ向けて突出する。
【００５０】
ヒンジ構造７００Ａは、左リブ７１０と、右リブ７２０と、を含む。左アーム板６１０Ａは、凸形状部２７０と左リブ７１０との間に挿入される。右アーム板６２０Ａは、凸形状部２７０と右リブ７２０との間に挿入される。
【００５１】
ヒンジ構造７００Ａは、左シャフト７１１と、右シャフト７２１と、を更に含む。左シャフト７１１は、凸形状部２７０の左領域２８０から左リブ７１０に向けて突出する。右シャフト７２１は、凸形状部２７０の右領域２９０から右リブ７２０に向けて突出する。
【００５２】
左アーム板６１０Ａは、左領域２８０に対向する対向面６１１を含む。右アーム板６２０Ａは、右領域２９０に対向する対向面６２１を含む。
【００５３】
図７は、蓋体６００Ａの概略的な斜視図である。図５乃至図７を参照して、蓋体６００Ａの接続技術が説明される。
【００５４】
対向面６１１には、左スリット６１２が形成される。左スリット６１２の下端は開口している。左スリット６１２には、左シャフト７１１が挿入される。本実施形態において、左スリット面は、対向面６１１によって例示される。
【００５５】
対向面６２１には、右スリット６２２が形成される。右スリット６２２の下端は開口している。右スリット６２２には、右シャフト７２１が挿入される。本実施形態において、左スリット面は、対向面６１１によって例示される。
【００５６】
なお、本第２実施の形態では、左シャフト７１１と、右シャフト７２１は、天壁２６０に形成された凸形状部２７０の左領域２８０と、右領域２９０にそれぞれ設けたが、第１実施の形態のカバー部材４００の左領域４３０と、右領域４４０にそれぞれ設けても同等の効果を得ることができる。
【産業上の利用可能性】
【００５７】
本実施形態の原理は、洗濯機能を有する様々な装置に好適に利用される。
【符号の説明】
【００５８】
１００，１００Ａ・・・・・・・・・・・洗濯機
２００，２００Ａ・・・・・・・・・・・筐体
２５０・・・・・・・・・・・・・・・・天壁
２５１・・・・・・・・・・・・・・・・前縁
２５２・・・・・・・・・・・・・・・・後縁
２５５・・・・・・・・・・・・・・・・投入口
２７０・・・・・・・・・・・・・・・・凸形状部
２８０・・・・・・・・・・・・・・・・左領域
２９０・・・・・・・・・・・・・・・・右領域
３００・・・・・・・・・・・・・・・・洗濯槽
４００・・・・・・・・・・・・・・・・カバー部材
４０１・・・・・・・・・・・・・・・・稜線
４１０・・・・・・・・・・・・・・・・後領域
４２０・・・・・・・・・・・・・・・・前領域
５００・・・・・・・・・・・・・・・・操作部
５１０・・・・・・・・・・・・・・・・ボタン
５３０・・・・・・・・・・・・・・・・回路基板
５４０・・・・・・・・・・・・・・・・保持カバー
５４１・・・・・・・・・・・・・・・・閉空間
６００，６００Ａ・・・・・・・・・・・蓋体
６１０，６１０Ａ・・・・・・・・・・・左アーム板
６１１・・・・・・・・・・・・・・・・対向面
６１２・・・・・・・・・・・・・・・・左スリット
６２０，６２０Ａ・・・・・・・・・・・右アーム板
６２１・・・・・・・・・・・・・・・・対向面
６２２・・・・・・・・・・・・・・・・右スリット
６３０・・・・・・・・・・・・・・・・主板
７００，７００Ａ・・・・・・・・・・・ヒンジ構造
７１０・・・・・・・・・・・・・・・・左リブ
７１１・・・・・・・・・・・・・・・・左シャフト
７２０・・・・・・・・・・・・・・・・右リブ
７２１・・・・・・・・・・・・・・・・右シャフト
８００・・・・・・・・・・・・・・・・給水口
【図１Ａ】
2015192774.tif 000003
【図１Ｂ】
2015192774.tif 000004
【図２】
2015192774.tif 000005
【図３】
2015192774.tif 000006
【図４】
2015192774.tif 000007
【図５】
2015192774.tif 000008
【図６】
2015192774.tif 000009
【図７】
2015192774.tif 000010